(57)【要約】【課題】建築予定者にとって間取り変更の操作が容易な間取り再現装置を提供する。【解決手段】間取り再現装置２は、床４の上に配された梁構造１０と、床４の上に配された壁部材２０と、壁部材２０に設けられ梁構造１０に壁部材２０を係止する壁係止具３０と、を備える。壁係止具３０は、梁構造１０に対して壁部材２０を係止する係止状態と、係止が解除された係止解除状態と、の間で遷移可能である。壁係止具３０が係止状態である場合、当該壁係止具３０によって係止された壁部材２０と床４との間には隙間が形成されている。【選択図】図１
2014202888.tif 000002
【特許請求の範囲】
【請求項１】
床の上に配された梁構造と、
前記床の上に配された壁部材と、
前記壁部材に設けられ前記梁構造に前記壁部材を係止する壁係止機構と、を備え、前記壁部材によって形成された間取り空間を再現する間取り再現装置であって、
前記壁係止機構は、前記梁構造に対して前記壁部材を係止する係止状態と、前記係止が解除された係止解除状態と、の間で遷移可能であって、
前記壁係止機構が前記係止状態である場合、当該壁係止機構によって係止された前記壁部材と前記床との間には隙間が形成されていることを特徴とする間取り再現装置。
【請求項２】
前記壁係止機構及び前記壁部材の全長は前記床及び前記梁構造の間隔よりも短いことを特徴とする請求項１記載の間取り再現装置。
【請求項３】
前記梁構造は、前記床の上において水平に配された格子を有し、
前記壁係止機構は、前記格子を構成する縦棒及び横棒の双方に対して、それぞれ、前記係止状態と前記係止解除状態との間で遷移可能であることを特徴とする請求項１または２記載の間取り再現装置。
【請求項４】
床の上に配された梁構造と、
前記床の上に配された壁部材と、
前記壁部材に設けられ前記梁構造に前記壁部材を係止する壁係止機構と、を備え、前記壁部材によって形成された間取り空間を再現する間取り再現装置であって、
前記壁係止機構は、前記梁構造に対して前記壁部材を係止する係止状態と、前記係止が解除された係止解除状態と、の間で遷移可能であって、
前記梁構造は、前記床の上において水平に配された格子を有し、
前記壁係止機構は、前記格子を構成する縦棒及び横棒の双方に対して、それぞれ、前記係止状態と前記係止解除状態との間で遷移可能であることを特徴とする間取り再現装置。
【請求項５】
前記梁構造は、前記床の上にて横わたされた格子を有し、
前記格子に係止された前記壁部材は、前記格子を構成する縦棒または横棒を中心に回動可能なことを特徴とする請求項１ないし４のうちいずれか１項記載の間取り再現装置。
【請求項６】
前記回動方向に対し前記壁部材を係止する回動係止部材を備えることを特徴とする請求項５記載の間取り再現装置。
【請求項７】
部屋の天井を再現するための天井部材と、
前記天井部材を前記梁構造に係止する天井係止機構と、をさらに備えたことを特徴とする請求項１ないし６のうちいずれか１項記載の間取り再現装置。
【請求項８】
上下方向において前記梁構造を移動自在にする移動機構を備えたことを特徴とする請求項７記載の間取り再現装置。
【請求項９】
部屋に取り付けられる部品の取り付け位置を表す取付位置識別子を備え、
前記取付位置識別子には、前記取り付け位置の変更を表す変更識別子が含まれることを特徴とする請求項１ないし８のうちいずれか１項記載の間取り再現装置。
【発明の詳細な説明】
【技術分野】
【０００１】
本発明は間取り再現装置に関する。
【背景技術】
【０００２】
住宅などの建設予定者が、住宅の設計を行う際に用いられる空間スケール体験装置が知られている（例えば、特許文献１参照）。この特許文献１に記載の空間スケール体験装置は、間取りの空間スケールを体験するためのものであり、互いに直交するように配された壁（以下、Ｘ方向壁、Ｙ方向壁と称する）を備える。Ｘ方向壁は、Ｙ方向に延びたレールに沿ってスライド移動自在となっている。一方、Ｙ方向壁は、Ｘ方向において離隔して並んだ固定部材に対し固定可能となっている。このようなＸ方向壁、Ｙ方向壁を設計図面に基づいて配することにより、現時点の設計図面における間取りの空間スケールを再現することができる。
【先行技術文献】
【特許文献】
【０００３】
【特許文献１】特開平１０−０２０７６１号公報
【発明の概要】
【発明が解決しようとする課題】
【０００４】
ところで、このような空間スケール体験装置を用いて、間取りの空間スケールを再現した場合、再現された間取りの空間スケールは、建築予定者の要望を満足するものになっていないことが多い。係る場合には、設計図面の見直し、見直し後の設計図面に基づいて、Ｘ方向壁及びＹ方向壁を配置することが必要となる。また、このような見直し作業は、設計者・施工者よりも、建築予定者が主体的に行ったほうが、建築予定者の満足感にもつながるとともに、設計者・施工者の負担が軽減される。
【０００５】
しかしながら、特許文献１に記載の空間スケール体験装置を用いて、空間スケールをいったん再現した場合、Ｘ方向壁、Ｙ方向壁の双方は、上端部がレールや固定部材と係合するとともに下端部は床と係合する結果、上下方向において係止した状態となる。このため、特許文献１に記載の空間スケール体験装置には、以下のような問題がある。
【０００６】
Ｙ方向壁を移動させる場合には、その都度、固定部材からＹ方向壁を取り外す作業が発生してしまう。前述のとおり、Ｙ方向壁は上下方向において係止されているため、Ｙ方向壁を、当該係止状態から係止解除状態へ姿勢を変えた後ではなければ、Ｙ方向壁を移動させることができない。したがって、Ｙ方向壁を移動させる場合には、Ｙ方向壁の姿勢変更の作業が生じてしまう。また、Ｘ方向壁は、同一のレールに沿って移動させる作業はスムーズに行われるものの、異なったレールの間にて移動させる場合には、Ｘ方向壁をレールから取り外す作業が発生してしまう。このように、特許文献１に記載の空間スケール体験装置においては、Ｘ方向壁・Ｙ方向壁の移動につき、余計な作業が発生してしまう。
【０００７】
さらに、Ｙ方向壁の姿勢変更の作業やＸ方向壁をレールから取り外す作業は、固定方法やレールの構造に依存する。このため、建築予定者にとっては、見直しのプロセスにおいて、不慣れな作業を強いられてしまう結果、満足した見直し作業を行うことができない。
【０００８】
本発明は、斯かる実情に鑑み、建築予定者にとって間取り変更の操作が容易な間取り再現装置を提供しようとするものである。
【課題を解決するための手段】
【０００９】
本発明は、床の上に配された梁構造と、前記床の上に配された壁部材と、前記壁部材に設けられ前記梁構造に前記壁部材を係止する壁係止機構と、を備え、前記壁部材によって形成された間取り空間を再現する間取り再現装置であって、前記壁係止機構は、前記梁構造に対して前記壁部材を係止する係止状態と、前記係止が解除された係止解除状態と、の間で遷移可能であって、前記壁係止機構が前記係止状態である場合、当該壁係止機構によって係止された前記壁部材と前記床との間には隙間が形成されていることを特徴とする。
【００１０】
前記壁係止機構及び前記壁部材の全長は前記床及び前記梁構造の間隔よりも短いことが好ましい。また、前記梁構造は、前記床の上において水平に配された格子を有し、前記壁係止機構は、前記格子を構成する縦棒及び横棒の双方に対して、それぞれ、前記係止状態と前記係止解除状態との間で遷移可能であることが好ましい。
【００１１】
また、本発明は、床の上に配された梁構造と、前記床の上に配された壁部材と、前記壁部材に設けられ前記梁構造に前記壁部材を係止する壁係止機構と、を備え、前記壁部材によって形成された間取り空間を再現する間取り再現装置であって、前記壁係止機構は、前記梁構造に対して前記壁部材を係止する係止状態と、前記係止が解除された係止解除状態と、の間で遷移可能であって、前記梁構造は、前記床の上において水平に配された格子を有し、前記壁係止機構は、前記格子を構成する縦棒及び横棒の双方に対して、それぞれ、前記係止状態と前記係止解除状態との間で遷移可能であることを特徴とする。
【００１２】
前記梁構造は、前記床の上にて横わたされた格子を有し、前記格子に係止された前記壁部材は、前記格子を構成する縦棒または横棒を中心に回動可能なことが好ましい。また、前記回動方向に対し前記壁部材を係止する回動係止部材を備えることが好ましい。
【００１３】
部屋の天井を再現するための天井部材と、前記天井部材を前記梁構造に係止する天井係止機構と、をさらに備えたことが好ましい。また、上下方向において前記梁構造を移動自在にする移動機構を備えたことが好ましい。
【００１４】
部屋に取り付けられる部品の取り付け位置を表す取付位置識別子を備え、前記取付位置識別子には、前記取り付け位置の変更を表す変更識別子が含まれることが好ましい。
【発明の効果】
【００１５】
本発明によれば、間取り変更の操作が建築予定者にとって容易なものとなる。
【図面の簡単な説明】
【００１６】
【図１】間取り再現装置の概要を示す斜視図である。
【図２】間取り再現装置の概要を示す断面図である。
【図３】間取り再現装置の概要を示す断面図である。
【図４】間取り再現装置の概要を示す断面図である。
【図５】コンセントやスイッチの取付位置を表す識別子の概要を示す正面図である。
【図６】ピッチ識別子の概要を示す平面図である。
【発明を実施するための形態】
【００１７】
以下、添付図面を参照して、本発明の実施の形態を説明する。なお、本明細書において、Ｘ〜Ｙ方向を以下の通り定義する。Ｘ方向は、水平面内の所定の方向をいう。Ｙ方向は、水平面内であってＸ方向と交差する方向（例えば、Ｘ方向と直交する方向）をいう。
【００１８】
図１〜２に示すように、間取り再現装置２は、床４及び固定壁６によって囲まれる基準空間Ｋの中に所定の間取り空間を再現するものであり、基準空間Ｋに配された梁構造１０と、基準空間Ｋに配された壁部材２０と、壁部材２０を吊り下げ状態で梁構造１０に係止する壁係止具３０と、を備える。
【００１９】
梁構造１０は、固定壁６の連結具６Ａに固定される。また、梁構造１０は、Ｘ方向へ延びる棒１０ＸとＹ方向へ延びる棒１０Ｙと有する。棒１０Ｘと棒１０Ｙとによって、格子構造が形成される。
【００２０】
壁部材２０は板状に形成される。壁係止具３０は壁部材２０の上端に取り付けられる。壁係止具３０の基部３０Ｂは、壁部材２０と連結し、壁係止具３０の先端部３０Ｔは、棒１０Ｘや棒１０Ｙに対してそれぞれ係合可能な鉤状となっている。壁係止具３０の先端部３０Ｔを棒１０Ｘや棒１０Ｙに係合させることによって、当該壁部材２０は、棒１０Ｘや棒１０Ｙから吊り下げられた状態（以下、吊り下げ状態と称する）となる。結果、吊り下げ状態の壁部材２０は、下方向において係止されるものの、棒１０Ｘや棒１０Ｙに沿った方向（Ｘ方向やＹ方向）や上方向においては、移動自在である。このため、吊り下げ状態の壁部材２０を上方へ移動させることにより、先端部３０Ｔと梁構造１０との係合が解除される結果、当該壁部材２０について下方向の係止が解除される。
【００２１】
ここで、吊り下げ状態の壁部材２０の下端と床４とは離隔して、吊り下げ状態の壁部材２０の下端と床４と間に隙間Ｓが形成されることが好ましい。また、図３に示すように、壁部材２０の下端から及び壁係止具３０の上端までの長さＬＡは、梁構造１０と床４との間隔ＬＢよりも短いことが好ましい。
【００２２】
さらに、図４に示すように、吊り下げ状態の壁部材２０は、棒１０Ｘや棒１０Ｙを中心に回動自在であることが好ましい。そして、固定壁６には、壁部材２０の下端部を支持するための下端係止具６Ｋが設けられることが好ましい。下端係止具６Ｋは、壁部材２０の側面に設定された取付位置に対して着脱自在に取り付けられる。このような、下端係止具６Ｋは、吊り下げ状態の壁部材２０を斜めの姿勢で維持することができる。なお、壁係止具３０の先端部３０Ｔが鉤状（例えば、円弧状やくの字状やコ字状）となっていることが好ましい。
【００２３】
図２に戻って、間取り再現装置２は、さらに、梁構造１０を上下方向に移動させる移動機構４０を備えることが好ましい。移動機構４０は、連結具６Ａを上下方向に移動自在にするスライドレール４１と、スライドレール４１において所定のピッチで上下方向に並ぶ凹部４２と、連結具６Ａに設けられ凹部４２と係合可能な凸部４３とを備える。スライドレール４１は、上下方向に延びる。このため、梁構造１０は、上下方向に移動自在となる。凸部４３は弾性体で形成されるため、凹部４２と凸部４３とによって、スライドレール４１上で連結具６Ａをロックするロック機構を形成する。このロック機構により、梁構造１０は、上下方向において所望の位置で固定される。
【００２４】
また、図４に示すように、間取り再現装置２は、基準空間Ｋに配され梁構造１０に吊り下げられる天井部材５０と、天井部材５０を吊り下げ状態で梁構造１０に係止する天井係止具６０と、を備えることが好ましい。天井係止具６０は、壁係止具３０と同様の構造を有する。
【００２５】
次に、間取り再現装置２の使用方法について説明する。
【００２６】
建設予定者は、設計図面に基づいて壁部材２０が吊り下げられた間取り再現装置２を見て、当該設計図面についての間取り空間を体感することができる。そして、間取り再現装置２によって表された間取り空間を変更したい場合には、設計図面上における変更作業を介さずに、壁部材２０の位置をそのまま変更することにより、変更後の間取り空間を作り出すことができる。このため、間取り再現装置２によれば、壁部材２０の位置変更によって、変更後の間取り空間を体感することができる。
【００２７】
ここで、吊り下げ状態の壁部材２０を上方へ移動させることにより、当該壁部材２０について下方向の係止が解除される。したがって、吊り下げ状態の壁部材２０を上方へ移動させることにより、吊り下げ状態の壁部材２０について、Ｘ方向やＹ方向への移動が可能となる。すなわち、棒１０Ｘに吊り下げられていた壁部材は、当該棒１０ＸにおいてＸ方向への移動をすることのみならず、当該棒１０Ｘとは別の棒１０Ｘや棒１０Ｙに吊り下げることもできる。このように、建設予定者は、簡単な操作で壁部材２０の多様な配置を試すことができる。
【００２８】
また、吊り下げ状態の壁部材２０の下端と床４とが接触する仕様の場合、壁部材２０の下端から壁係止具３０の上端までの寸法が、製造誤差等によって大きくなってしまうと、壁部材２０の下端が床４に接した状態において、壁係止具３０が梁構造１０から離れ、係合しない結果、壁部材２０の下方向への係止が確保できない。この場合には、梁構造１０から壁部材２０を吊り下げることができない。間取り再現装置２では、吊り下げ状態の壁部材２０の下端と床４と間に隙間Ｓが形成されるため、製造誤差等があったとしても、壁部材２０の下方向への係止を確実に確保することができる。
【００２９】
さらに、図３に示すように、壁部材２０の下端から壁係止具３０の上端までの長さＬＡは、梁構造１０と床４との間隔ＬＢよりも短い。このため、梁構造１０と床４との間において、梁構造１０から取り外した壁部材２０を吊り下げ状態の姿勢（直立姿勢）のまま水平方向へ移動させることができる。このように、間取り再現装置２における壁部材２０の移動作業は、シンプルとなるため、建設予定者にとっても非常に容易なものとなる。また、移動対象となる壁部材２０を直立姿勢のまま移動することができるため、移動中の壁部材２０を他の物体にぶつけるおそれもない。
【００３０】
したがって、間取り再現装置２によれば、間取りの見直し作業が建設予定者にとって容易なものとなるため、間取りの見直し作業を建設予定者自身が行うことができる。この結果、建設予定者に対して、間取りの見直し作業の満足感を提供することができるとともに、間取りの見直し作業について、設計者・施工者側の負担軽減を図ることができる。
【００３１】
加えて、図４に示すように、間取り再現装置２は天井部材５０と天井係止具６０とを備えるため、建設予定者は、間取り空間のみならず、天井の高さについても併せて確認することができる。また、吊り下げ状態の壁部材２０は、棒１０Ｘや棒１０Ｙを中心に回動自在となるため、壁部材２０を傾斜天井に見立てることができる。すなわち、建設予定者は、傾斜天井の傾斜角度を確認することができる。さらに、固定壁６には、壁部材２０の下端部を支持するための下端係止具６Ｋが設けられるため、建設予定者は、離れた場所から、傾斜天井の傾斜角度を確認することができる。
【００３２】
そして、さらに、間取り再現装置２は、梁構造１０を上下方向に移動させる移動機構４０を備えるため、建設予定者は、現時点の天井高さを確認するとともに、希望の天井高さへの変更、及び当該変更状態をすぐに確認することができる。
【００３３】
なお、壁部材２０に設定された下端係止具６Ｋの取付位置は、スライドレール４１における凹部４２の形成ピッチに等しいピッチで設定されたことが好ましい。これにより、傾斜天井の傾斜角度を維持しつつ、移動機構４０による梁構造１０の移動を行うことができる。
【００３４】
なお、間取り再現装置２は、図５に示すように、コンセントやスイッチの取付位置を表す識別子８０を備えていてもよい。識別子８０は、マグネットや感圧剤などによって、壁部材２０等に対し着脱自在に取り付けられる。識別子８０には、コンセントやスイッチなどといった部品の種別を表す種別識別子の他、取付位置が変更されたものであるか否かを表す位置変更識別子や部品が追加されたものであるか否かを表す追加識別子などがある。種別識別子としては、例えば、部品を表す図案がある。位置変更識別子や追加識別子としては、例えば、色を用いることが好ましい。具体的には、取付位置が変更されていない場合には部品の図案が青色であらわされ、取付位置が変更された場合には部品の図案が赤色であらわされる。また、部品が追加されたものである場合には、部品の図案が緑色であらわされる。
【００３５】
図６に示すように、棒１０Ｘと棒１０Ｙとによって形成される格子構造が、建築に用いられるピッチよりも目が細かい場合には、建築に用いられるピッチを表す棒１０Ｘ及び棒１０Ｙのみに、所定のピッチ識別子９０を設けてもよい。これにより、建設予定者は、建築に用いられるピッチに対応した棒１０Ｘ及び棒１０Ｙが一目でわかるため、壁部材２０等の移動先を正しく選択することができる。
【００３６】
尚、本発明は、上記した実施の形態に限定されるものではなく、本発明の要旨を逸脱しない範囲内において種々変更を加え得ることは勿論である。
【符号の説明】
【００３７】
２    間取り再現装置
４    床
６    固定壁
６Ａ    連結具
６Ｋ    下端係止具
１０    梁構造
１０Ｘ、１０Ｙ        棒
２０    壁部材
３０    壁係止具
３０Ｂ    基部
３０Ｔ    先端部
４０    移動機構
４１    スライドレール
４２    凹部
４３    凸部
５０    天井部材
６０    天井係止具
８０    識別子
９０    ピッチ識別子
【図１】
2014202888.tif 000003
【図２】
2014202888.tif 000004
【図３】
2014202888.tif 000005
【図４】
2014202888.tif 000006
【図５】
2014202888.tif 000007
【図６】
2014202888.tif 000008